(57)【要約】      （修正有）【課題】騒音を少なくし、機械装置の各要素に対する衝撃を少なくすることにより機械装置の保守・保全上の問題、粉塵の舞い上がりを抑える効果がある廃棄物分別機を提供する。【解決手段】廃棄物を重質物と軽質物とに分別する廃棄物分別機１０において、全体を覆う外郭１２を軸方向に傾斜配置し、この外郭１２のほぼ中央上側に廃棄物投入口１３を、外郭１２の底面の傾斜上端に軽質物排出口１４を、傾斜下端に重質物排出口１５を設け、上記外郭１２の同軸上で且つ上記廃棄物投入口１３の上側と下側に無数のパンチングホール１６も受けた回転ドラム１７ａ，１７ｂを回転可能に配置し、上記回転ドラム１７ａ，１７ｂの中心軸より下方に並行して、螺旋翼１９を設けた回転軸２０を上記外郭１２の鏡板２２ａ，２２ｂを貫通・設置してなる構成を採用した。必要ならば上記外郭１２の傾斜下端の鏡板２２ａに空気吹き込み口２３を開口する。【選択図】図１
2007144382.tif 000002
【特許請求の範囲】
【請求項１】
廃棄物を重質物と軽質物とに分別する廃棄物分別機（１０）において、全体を覆う外郭（１２）を軸方向に傾斜配置し、この外郭（１２）のほぼ中央上側に廃棄物投入口（１３）を、外郭（１２）の底面の傾斜上端に軽質物排出口（１４）を、外郭（１２）の底面の傾斜下端に重質物排出口（１５）を設け、上記外郭（１２）の同軸上で、且つ上記廃棄物投入口（１３）の上側と下側に無数のパンチングホール（１６）設けた回転ドラム（１７ａ，１７ｂ）を回転可能に配置し、上記上側・下側の回転ドラム（１７ａ，１７ｂ）の対向端に接続筒（１８）を被嵌し、上記回転ドラム（１７ａ，１７ｂ）の中心軸より下方に並行して、螺旋翼（１９）を設けた回転軸（２０）を上記外郭（１２）の鏡板（２２ａ，２２ｂ）を貫通・設置したことを特徴とする廃棄物分別機。
【請求項２】
上記外郭（１２）の傾斜下端の鏡板（２２ａ）に空気吹き込み口（２３）を開口したことを特徴とする請求項１に記載の廃棄物分別機。
【請求項３】
上記回転ドラム（１７ａ，１７ｂ）の回転方向と上記螺旋翼（１９）を設けた回転軸（２０）の回転方向を、互いに逆方向になるよう設定されたことを特徴とする請求項１または２に記載の廃棄物分別機。
【発明の詳細な説明】
【技術分野】
【０００１】  この発明は、廃棄物を重質物と軽質物とに分別する装置に関する。
【背景技術】
【０００２】  回収された廃棄物には、金属材料、陶器・磁器、ペットボトル、ポリエチレン製袋、塩化ビニリデンフィルムなど種々雑多な材料が混在しており、これを焼却処分、資源再利用処理するにはその前段で分別する必要かあり、分別する形態の一つとして重質物と軽質物とに分別するものがある。【０００３】  上記重質物と軽質物に分別する装置の先行技術を調査したところ、底にパンチングネットを配置した平らな容器を傾斜配置し、この容器を上下・円運動の揺動をさせ、その容器に廃棄物を投入して重質物を沈降させ、軽質物は浮き上がらせながら層分けし、層分けした重質物のうち細かいものはパンチングネットで篩い落とし、大きいものは下方から排出し、軽質物は風力により吹き飛ばすようにしたものしか見当たらなかった。
【発明が解決しようとする課題】
【０００４】  上記先行技術のものは、傾斜させた容器を上下・円運動の揺動によって廃棄物を分別するものであるから機械装置の各要素に振動衝撃を与えるものであり、衝撃音が高く、機械装置の保守・保全上の問題があり、かつ、騒音が発生し粉塵が舞い上がる等の問題を抱えており、また、設置面積が大きいという問題もあった。
【発明の開示】
【０００５】  上記状況に鑑みこの発明は、廃棄物の分別の際に発生する騒音を可能な限り少なくし、かつ、機械装置の各要素に対する衝撃を少なくすることにより保守・保全上の問題、さらには粉塵の舞い上がりを抑える効果がある廃棄物分別機を提供することを課題とする。
【課題を解決するための手段】
【０００６】  上記課題を解決するためにこの発明は、廃棄物を重質物と軽質物とに分別する廃棄物分別機１０において、全体を覆う外郭１２を軸方向に傾斜配置し、この外郭１２のほぼ中央上側に廃棄物投入口１３を、外郭１２の底面の傾斜上端に軽質物排出口１４を、外郭１２の底面の傾斜下端に重質物排出口１５を設け、上記外郭１２の同軸上で、且つ上記廃棄物投入口１３の上側と下側に無数のパンチングホール１６設けた回転ドラム１７ａ，１７ｂを回転可能に配置し、上記上側・下側の回転ドラム１７ａ，１７ｂの対向端に接続筒１８を被嵌し、上記回転ドラム１７ａ、１７ｂの中心軸より下方に並行して、螺旋翼１９を設けた回転軸２０を上記外郭１２の鏡板２２ａ，２２ｂを貫通・設置してなる構成を採用したものであり、必要ならば上記外郭１２の傾斜下端の鏡板２２ａに空気吹き込み口２３を開口する。
【０００７】  上記のごとく構成するこの発明によれば、投入された廃棄物は、無数のパンチングホールを設けた回転ドラムと螺旋翼の運動によって重質物は沈降して傾斜面の下方に移動し、回転ドラムから外殻下端の重質物排出口に至り、軽質物は相対的に浮き上がって螺旋翼によって傾斜面上方に送られて回転ドラムから外郭を経て軽質物排出口に至る。また、空気吹き込み口からの吹き込まれる風力により浮き上がった軽質物が吹き飛ばされて排出が促進される。
【発明の効果】
【０００８】  従って上記のごとく構成するこの発明によれば、重質物と軽質物との分別が全て回転運動によって行われるので、機械装置の中で振動衝撃が少なく騒音の発生を極力抑制することができ、機械装置の寿命が延び、保守保全の経費を大幅に節約することが出来る。
【発明を実施するための最良の形態】
【０００９】  次にこの発明の実施の形態を、図面を参照しながら説明する。ベースフレーム１１の上には、全体を覆う外郭１２が軸方向に傾斜して設けられ、この外郭１２の上部で、軽質物排出口１４寄りに廃棄物投入口１３を設け、外郭１２の底面の傾斜方向上端に軽質物排出口１４を設け、外郭１２の底面の傾斜方向下端に重質物排出口１５を設けている。【００１０】  上記ベースフレーム１１の外郭１２内には、無数のパンチングホール１６を穿設した回転ドラム１７ａ，１７ｂが、廃棄物投入口１３の上側と下側に分けて配置され、外郭１２内に設置された駆動ローラー２４によって回転可能に支承され、上記回転ドラム１７ａ，１７ｂの対向端間には接続筒１８が被せられて両者が廃棄物投入口を挟んで回転可能に繋がっている。【００１１】  回転ドラム１７ａ，１７ｂの中心軸の下側に並行して螺旋翼１９を設けた回転軸２０が引き通され、この回転軸２０は外郭１２の鏡板２２ａ，２２ｂに設置した軸受け２１に支承されモーター２５により回転する。【００１２】  また、外郭１２の傾斜方向の下端の鏡板２２ａには空気吹き込み口２３が開口し、ブロワー２６に接続されて空気が吹き込まれ軽質物を軽質物排出口１４に向けて吹き飛ばすようにすることができる。【００１３】  上記螺旋翼１９は投入された廃棄物が軽質物排出口１４側に送られる方向に回転し、回転ドラム１７ａ，１７ｂは、その反対方向に回転するように設定する。また、装置１０全体の設置傾斜角は投入される廃棄物の内容によって実験的に変更されるもので、そのような性質上傾斜角を装置の構造上許される範囲で調節可能とすると良い。【００１４】  廃棄物分別機１０に投入された廃棄物は回転ドラム１７ａ，１７ｂが回転することにより、重質物は回転ドラム１７ａ，１７ｂの底の方に沈降し細かいものはパンチング１６から篩い落とされ、その他のものは螺旋翼１９と回転ドラム１７ａ，１７ｂとの隙間を潜り抜けて傾斜した回転ドラム１７ａの下の方に移動し上記篩い落とされたものと共に重質物排出口１５から排出される。【００１５】  軽質物は、回転ドラム１７ａ，１７ｂの回転により攪拌され、螺旋翼１９の回転により浮き上がり螺旋翼１９の回転による推進力により軽質物排出口１４に向けて移動し排出される。なお、このとき空気吹き込み口２３から空気が吹き込まれると軽質物の排出が促進される。
【産業上の利用可能性】
【００１６】  上記説明したごとくこの発明によれば、装置全体に振動・揺動する部分がなく、全てが回転運動で廃棄物を分別処理するので振動・騒音が低く、装置の各部要素の疲労も少なく、保守・保全のための経費を大幅に節約することができ、また、設置面積も小さくできるので、環境保全効果と経済的効果が得られるものである。
【図面の簡単な説明】
【００１７】
【図１】この発明に係る廃棄物分別装置の縦断面図
【図２】同横断面図
【符号の説明】
【００１８】１０  廃棄物分別機（装置）
１１  ベースフレーム
１２  外郭
１３  廃棄物投入口
１４  軽質物排出口
１５  重質物排出口
１６  パンチングホール
１７ａ，１７ｂ  回転ドラム
１８  接続筒
１９  螺旋翼
２０  回転軸
２１  軸受け
２２ａ，２２ｂ  鏡板
２３  空気吹き込み口
２４  駆動ローラー
２５  駆動モーター
２６  ブロワー
２７  ガイドプレート
【図１】
2007144382.tif 000003
【図２】
2007144382.tif 000004